(57)【特許請求の範囲】
【請求項１】
外装容器１４上方にホッパー１を設けて、前記ホッパー１下方開口端には、カード送り部２を設けモーター５の回転をクランク４にて前後摺動可能とし、更に前記モーター５の回転を伝達する歯車を側面に配し連動回転し弾性部材１９により弾発支持された上下よりカードを挟着する数組の輸送ローラー６を設け、前記輸送ローラー６の運送過程上には弾性部材１９により弾発支持されて上下よりカードを挟着する多孔質体の洗浄ローラー８を設け、前記洗浄ローラー８の直径Ｈと前記輸送ローラー６の直径ＤがＨ＞Ｄであり、洗浄ローラー８の後方過程に乾燥装置を設けてカードを乾燥可能とし、更に前記洗浄ローラー８の下部には洗浄液１２を洗浄容器１１に設けて、モーター５の回転により常に洗浄ローラー８へ洗浄液１２を伝達させ合成樹脂製のカードの汚れを落とすカード洗浄器において、
洗浄容器１１の側面によって洗浄液伝達ローラー１３が回転自在に支持されており、前記洗浄容器１１をカム１６の上方に載せ、半回転するごとに前記洗浄容器１１を上下昇降自在にし、上方に位置したとき洗浄液伝達ローラー１３と下部洗浄ローラー８Ｂを押圧当接し、下方に位置したとき洗浄液伝達ローラー１３と下部洗浄ローラー８Ｂの押圧当接を解除し、前記洗浄容器１１の洗浄液１２を補充可能としたことを特徴としたカード洗浄器。
【発明の詳細な説明】
【０００１】
【産業上の利用分野】
本発明は、カードを洗浄するカード洗浄器に関するものである。
【０００２】
【従来の技術】
今日、カードの使用は、日常どんなところでもカード化してきており、その使用に際して頻繁に同一カードを使用することになる。このカードは、一般に磁気により記録させ、コンピューターにその記録を読ませて使用するものである。その、材質はポリプロピレン、ポリエチレン等の合成樹脂板である。したがって、こうしたカードは、全体に手の汚れや、その他の油汚れ等が不着しやすく、読取りのための送りローラーを空回りさせ、正常に読み取り出来ないといった問題が生じる。特に、磁気部分に油汚れが付くと読取りにも支障をきたす事となる。従来はこうした、手の汚れや、その他の油汚れ等を、汚れた都度、手で布拭きして汚れを取り除いていた。こうしたことは、単純作業の煩わしさと高価な人件費を必要としており、結果的に手軽に容易に洗浄できるものを必要としている。
【０００３】
【発明が解決しようとする課題】
以上のように、合成樹脂製のカードの手の汚れや油汚れを容易に早くコスト的にも安価に落とし、読取りのための送りローラーの空回りを防止し、正確に読み取ることが出来、特に磁気部分の汚れを拭き取り読取りすることが出来るようにすることを目的とする。
【０００４】
【課題を解決するための手段】
外装容器１４上方にホッパー１を設けて、前記ホッパー１下方開口端には、カード送り部２を設けモーター５の回転をクランク４にて前後摺動可能とし、更に前記モーター５の回転を伝達する歯車を側面に配し連動回転し弾性部材１９により弾発支持された上下よりカードを挟着する数組の輸送ローラー６を設け、前記輸送ローラー６の運送過程上には弾性部材１９により弾発支持されて上下よりカードを挟着する多孔質体の洗浄ローラー８を設け、前記洗浄ローラー８の直径Ｈと前記輸送ローラー６の直径ＤがＨ＞Ｄであり、洗浄ローラー８の後方過程に乾燥装置を設けてカードを乾燥可能とし、更に前記洗浄ローラー８の下部には洗浄液１２を洗浄容器１１に設けて、モーター５の回転により常に洗浄ローラー８へ洗浄液１２を伝達させ合成樹脂製のカードの汚れを落とすカード洗浄器において、
洗浄容器１１の側面によって洗浄液伝達ローラー１３が回転自在に支持されており、前記洗浄容器１１をカム１６の上方に載せ、半回転するごとに前記洗浄容器１１を上下昇降自在にし、上方に位置したとき洗浄液伝達ローラー１３と下部洗浄ローラー８Ｂを押圧当接し、下方に位置したとき洗浄液伝達ローラー１３と下部洗浄ローラー８Ｂの押圧当接を解除し、前記洗浄容器１１の洗浄液１２を補充可能としたことを特徴としたカード洗浄器である。
【０００５】
【実施例】
本願実施例を図１、図２、図３、図４、図５、図６、図７をもとに詳細に説明する。
１は、ホッパーであり、四角形の筒状であり、４辺の内カード送り部２の上辺に位置する辺は、切れている。そして筒内に、カードを重ねて収容する。重ねたカードの上方から重りを載せ確実にカードを押さえてもよい。前記カード送り部２は、カード出口７の方向に傾斜しておりカード送り爪３によりカードを送り出す。カード送り部２は、モーター５の回転をクランク４により前後方向に摺動可能にしている。この前後の摺動によりカードをカード出口７の方向に送る。
６は、中心に軸を設けた円柱状の輸送ローラーで上下にローラーを配置したものであり、上部輸送ローラー６Ａは弾発部材１９により弾発支持されており、下部輸送ローラー６Ｂに当接圧着されており、多少厚さの異なるカードであっても、自由に通り、送ることが出来る。また前記輸送ローラー６は、ホッパー１からカード出口７までの間に数組み設けられている。本発明の実施例においては、輸送ローラー６は３組配置されている。上部輸送ローラー６Ａ、下部輸送ローラー６Ｂの側面には回転を伝達するための歯車２０が設けられていても良く、６Ａと６Ｂを噛み合わせて回転させることも出来る。しかし両者を必ず噛み合わせる必要はなく、下部輸送ローラー６Ｂだけに歯車２０を設けて伝達歯車９に噛み合わせカードを送ることも出来る。本発明の実施例は後者である。
【０００６】
８は、中心に軸を設けた円柱状の洗浄ローラーで上下にローラーを配置しており、上部洗浄ローラー８Ａは弾発部材１９により弾発支持されており、下部洗浄ローラー８Ｂに当接圧着されており、多少厚さの異なるカードであっても自由に通る。下部洗浄ローラー８Ｂの側面には歯車２０が設けられて、伝達歯車９によりモーターの回転を伝えて回転しており、更に洗浄ローラー８の直径Ｈと前記輸送ローラー６の直径Ｄは、Ｈ＞Ｄである。又、洗浄ローラー８は、材質が多孔質体であるがためにカードを圧着する力が輸送ローラー６より弱い。上部洗浄ローラー８Ａの側面には、歯車２０が設けられていても良く、上部、下部洗浄ローラー８の側面の歯車２０を噛み合わせて回転させることも出来る。しかし、両者を必ず噛み合わせる必要はなく、下部洗浄ローラー８Ｂのみに歯車２０を設けて、伝達歯車９と噛み合わせることも出来る。
【０００７】
従って、洗浄ローラー８と輸送ローラー６は、モーター５の回転を伝える歯車２０と前記伝達歯車９の大きさ、歯数は同じであるので直径が異なるため回転数が異なり輸送ローラー６により圧着されてカードが送られてくると洗浄ローラー８は、多孔質体であるので圧着力が弱くスリップしてカード表面（表裏）を拭くことになる。前記下部洗浄ローラー８の下方には洗浄容器１１が配設されており、洗浄容器１１の側面により洗浄液伝達ローラー１３が回転自在に支持されており、前記洗浄容器１１の内部に設けられた洗浄液１２を上方の洗浄ローラー８に伝達してカードの汚れを取る。
【０００８】
洗浄液１２は、イオン交換のアルカリ水としている。洗浄液１２の補充には、外装容器１４から出た摘み１５を回転させると、摘み１５の先端部のカム１６が回転し洗浄容器１１を昇降させることが出来る。たとえば、摘み１５の中心と、カム１６の中心がずれていれば、カム１６の形状は円柱であってもよい。前記洗浄液伝達ローラー１３と洗浄容器１１が下方に降り前記両者を引っ張りだして洗浄液１２を補充することが出来る。
本発明では、洗浄ローラー８の前後に輸送ローラー６を配置しており、前の輸送ローラー６と後の輸送ローラー６の間隔はカード１枚分の間隔である。
【０００９】
１７は、乾燥装置であり、内部に電熱線を設けており、熱により洗浄ローラー８を通過したカードの洗浄液１２を乾燥させる。乾燥出来れば、電熱線であっても暖風あっても考慮可能である。前記乾燥装置１７にはカードを圧着してもしなくても良い。また、感圧式のカードであれば圧着して記録データを全て消去することも出来る。
１８は、カード受であり、四角筒と弾発支持された受板からなりカードが落ちて重なりカードの自重で下方に下がる。
材質について、輸送ローラー６の表面は、シリコンゴム、ＮＢＲ等の滑らない材質であれば良い。洗浄ローラー８と洗浄液伝達ローラー１３は、多孔質体の発泡体であれば良く、ＮＢＲ・ポリエチレン、ウレタン等合成樹脂の多孔質発泡体が適している。また、輸送ローラー６よりは硬度は低く特にその材質は問はない。しかし、洗浄液１２を洗浄液伝達ローラー１３より洗浄ローラー８へ当接伝達させる為、気孔率は洗浄ローラー８の方が高くしてあり、吸収力もある。
【００１０】
ここで、カードの動きとともに作用を説明する。モーター５による回転の一部を伝達歯車９に伝え、下部輸送ローラー６Ｂ、伝達歯車９、下部洗浄ローラー８、伝達歯車９、更には、輸送ローラー６、伝達歯車９、輸送ローラー６に伝達され、一枚ずつカードを送ることになる。更に、モーター５による回転の一部をクランク４によりカード送り部２を前後に摺動する力に換え、ホッパー１にある多数のカードを一枚ずつカード送り部２の爪３によって前方に押し出す。すると、第一輸送ローラー６に狭着され前方に送られ、洗浄ローラー８に狭着さる。第一、第二、第三輸送ローラー６、６６、６６６と洗浄ローラー８は、同じ回転数であるが、洗浄ローラー８の直径が大きいので周速が早く、また柔らかい多孔質体であるのでカード上で空回りすることになる。こうしてカードが送られ第一、第二輸送ローラー６、６６の間隔はカード一枚分であるので第二輸送ローラー６６に狭着され更に、前方に送られる。次に、第二輸送ローラー６６と第三輸送ローラー６６６の間に乾燥装置１７を設けており、濡れたカードを乾かすことが出来る。第二輸送ローラー６６と第三輸送ローラー６６６の間隔は、カード１枚分である。こうして、カード出口７よりカードが搬出されカード受１８に受て蓄えられる。第一、第二、第三輸送ローラー６、６６、６６６の上部輸送ローラー６Ａと上部洗浄ローラー８Ａは、常に弾発部材１９により下部輸送ローラー６Ｂと下部洗浄ローラー８Ｂに押圧当接しており、ここを通るカードに上下より当接している。
【００１１】
また、洗浄液１２は、洗浄液伝達ローラー１３の下部に設けられて洗浄容器１１内に設けられており、洗浄液１２をイオン交換によるアルカリ水としている。
洗浄容器１１は、カム１６により上方に位置させており、下部洗浄ローラー８Ｂに洗浄液伝達ローラー１３を洗浄容器１１自体を上方に位置させることによって、押圧当接する。洗浄液１２がなくなれば、カム１６の摘み１５を半回転させることによって洗浄容器１１を下方に位置させ、洗浄液伝達ローラー１３と下部洗浄ローラー８Ｂの圧着当接を解き、洗浄容器１１自体を引き出して洗浄液１２の補充をする。その後、上記操作と逆にすれば、もとのようにセット出来る。
【００１２】
【効果】
以上の構成であるので、合成樹脂製のカードの手の汚れや油汚れを容易に早くコスト的にも安価に落とすことが出来る。この為、読取りのための送りローラーの空回りを防止し、正確に読み取ることが出来きる。特に磁気部分の汚れを拭き取り読取りすることが出来る。また、カードが、感熱タイプのカード記録方法であれば乾燥装置を使用して記録を消去することも出来る。
【００１３】
【図面の簡単な説明】
【図１】本発明の実施例を示す左斜視図
【図２】本発明の実施例を示す右斜視図
【図３】本発明の実施例を示す洗浄液伝達ローラー１３圧着時の略説明図
【図４】本発明の実施例を示す洗浄液伝達ローラー１３圧着解除時の略説明図
【図５】本発明の実施例を示す洗浄容器１１の斜視図
【図６】本発明の実施例を示す洗浄ローラー８の斜視図
【符号の説明】
１：ホッパー
２：カード送り部
３：爪
４：クランク
５：モーター
６：輸送ローラー
７：カード出口
８：洗浄ローラー
９：伝達歯車
１１：洗浄容器
１２：洗浄液
１３：洗浄液伝達ローラー
１４：外装容器
１５：摘み
１６：カム
１７：乾燥装置
１８：カード受
１９：弾発部材
２０：歯車
【図１】
0003583531.tif 000002
【図２】
0003583531.tif 000003
【図３】
0003583531.tif 000004
【図４】
0003583531.tif 000005
【図５】
0003583531.tif 000006
【図６】
0003583531.tif 000007